(57)【要約】  キーパッドセキュリティ装置（１０）は、ビューイング開口（２６）とアクセス開口（３０）とを有する囲い（１４）を備える。囲い（１４）は、ビューイング開口（２６）を通してキーパッドを見ることができると共にアクセス開口（３０）を通してユーザによりキーパッドにアクセス可能であるように、そのキーパッドを少なくとも部分的に取り囲み、ビューイング開口は、キーパッドのユーザの視点からはキーパッドを明確に見ることができるように且つユーザ以外の者の視点からはキーパッドを見ることができないように構成されたセキュリティ窓（３６）を含み、該セキュリティ窓（３６）は、屈折レンズを含む。
2008517394.tif 000002
【特許請求の範囲】
【請求項１】
ビューイング開口とアクセス開口とを有する囲いを備え、
前記囲いは、前記ビューイング開口を通してキーパッドを見ることができると共に前記アクセス開口を通してユーザにより前記キーパッドにアクセス可能であるように、該キーパッドを少なくとも部分的に取り囲み、
前記ビューイング開口は、前記キーパッドのユーザの視点からは該キーパッドを明確に見ることができるように且つ該ユーザ以外の者の視点からは該キーパッドを見ることができないように構成されたセキュリティ窓を含み、
前記セキュリティ窓は、屈折レンズを含む、
キーパッドセキュリティ装置。
【請求項２】
前記レンズは、１．３から１．８までの間の屈折率を有する、請求項１に記載のキーパッドセキュリティ装置。
【請求項３】
前記レンズは、アクリルで製造され、１．４７から１．５１までの間の屈折率を有する、請求項２に記載のキーパッドセキュリティ装置。
【請求項４】
前記レンズは、塩化ビニルで製造され、１．５２から１．５６までの間の屈折率を有する、請求項２に記載のキーパッドセキュリティ装置。
【請求項５】
前記レンズは、ポリエチレンで製造され、１．４９から１．５３までの間の屈折率を有する、請求項２に記載のキーパッドセキュリティ装置。
【請求項６】
前記レンズは、ポリカーボネートで製造され、１．５７から１．６１までの間の屈折率を有する、請求項２に記載のキーパッドセキュリティ装置。
【請求項７】
前記レンズは、フレネルレンズである、請求項１から請求項６のいずれかに記載のキーパッドセキュリティ装置。
【請求項８】
前記セキュリティ窓は、所定の視線軸の方向からは前記キーパッドを見えるようにするが前記視線軸に一致しない軸の方向からは前記キーパッドを不明瞭にする画像を含む、請求項１から請求項７のいずれかに記載のキーパッドセキュリティ装置。
【請求項９】
前記画像は、前記セキュリティ窓の上または中に設けられる、請求項８に記載のキーパッドセキュリティ装置。
【請求項１０】
前記画像は、前記セキュリティ窓の表面にエッチングまたは他の方法で施される、請求項９に記載のキーパッドセキュリティ装置。
【請求項１１】
前記セキュリティ窓は、単一の部材を含む、請求項１から請求項１０のいずれかに記載のキーパッドセキュリティ装置。
【請求項１２】
前記セキュリティ窓は、層構造である、請求項１から請求項１０のいずれかに記載のキーパッドセキュリティ装置。
【請求項１３】
前記セキュリティ窓は、前記屈折レンズと支持部材とを含む、請求項１２に記載のキーパッドセキュリティ装置。
【請求項１４】
前記セキュリティ窓は、開放可能な方式で前記ビューイング開口に固定される、請求項
１から請求項１３のいずれかに記載のキーパッドセキュリティ装置。
【請求項１５】
前記セキュリティ窓は、前記ビューイング開口と一体に形成される、請求項１から請求項１３のいずれかに記載のキーパッドセキュリティ装置。
【請求項１６】
前記囲いは、プラスチック材料で形成される、請求項１から請求項１５のいずれかに記載のキーパッドセキュリティ装置。
【請求項１７】
前記囲いは、少なくとも部分的に半透明である、請求項１６に記載のキーパッドセキュリティ装置。
【請求項１８】
前記囲いの内部は、装置の取り付けを阻止するために、少なくとも部分的にテクスチャ加工を施される、請求項１から請求項１７のいずれかに記載のキーパッドセキュリティ装置。
【請求項１９】
前記囲いは、前記囲いの内部に周辺光を取り入れるように構成された少なくとも１つの窓開口を含む、請求項１から請求項１８のいずれかに記載のキーパッドセキュリティ装置。
【請求項２０】
前記囲いは、前記キーパッドを少なくとも部分的に取り囲むように構成された壁を含む、請求項１から請求項１９のいずれかに記載のキーパッドセキュリティ装置。
【請求項２１】
前記囲いは、前記キーパッドを少なくとも部分的に取り囲むように構成された複数枚の壁を含む、請求項２０に記載のキーパッドセキュリティ装置。
【請求項２２】
前記セキュリティ窓は、前記囲いに取り付けられた枠内に保持される、請求項１から請求項２１のいずれかに記載のキーパッドセキュリティ装置。
【請求項２３】
前記枠は、前記囲いに対して可動である、請求項２２に記載のキーパッドセキュリティ装置。
【請求項２４】
前記枠は、枢動可能な方式で前記囲いに取り付けられる、請求項２３に記載のキーパッドセキュリティ装置。
【請求項２５】
前記枠は、摺動可能な方式で前記囲いに取り付けられる、請求項２３に記載のキーパッドセキュリティ装置。
【請求項２６】
前記囲いは、前記第１のアクセス開口に揃えられた追加のアクセス開口を設けられる、請求項１から請求項２５のいずれかに記載のキーパッドセキュリティ装置。
【請求項２７】
前記第１の開口は、前記囲いの前面に設けられ、前記追加のアクセス開口は、前記囲いの背面に設けられる、請求項２６に記載のキーパッドセキュリティ装置。
【請求項２８】
前記囲いは、キーパッド装置を受けるように構成された基部を含む、請求項１から請求項２７のいずれかに記載のキーパッドセキュリティ装置。
【請求項２９】
前記基部は、前記囲いを取り付け部材に取り付けるための取り付け構成を設けられる、請求項２８に記載のキーパッドセキュリティ装置。
【請求項３０】
キーパッドと、
紙幣を供給する開口と、
請求項１から請求項２７のいずれかに記載のキーパッドセキュリティ装置と、
を備える現金自動預入支払機。
【請求項３１】
請求項２６または請求項２７に従属する場合に、前記追加のアクセス開口は、前記紙幣を供給する開口に揃えられる、請求項３０に記載の現金自動預入支払機。
【請求項３２】
キーパッドと、
請求項１から請求項２９のいずれかに記載のキーパッドセキュリティ装置と、
を備える販売時点管理データカードピン入力装置。
【発明の詳細な説明】
【技術分野】
【０００１】
本発明は、データ入力キーパッドのセキュリティに関する。本発明は、具体的には、ＡＴＭ（Automated Teller Machines：現金自動預入支払機）、小売店のチップ・アンド・ピン（Personal Identification Number：個人識別番号）ＥＰＯＳ（Electronic Point Of Sale：電子決済販売時点管理）システム、およびＰＥＤ（PIN Entry Devices：ＰＩＮ入力装置）に装着されるデータ入力用のキーパッドのセキュリティに関するが、これらに限定されない。
【０００２】
近年、キャッシュカードの不正使用によるＡＴＭからの現金引き出しに関連した犯罪が増加している。このような犯罪を実行するには、犯罪者は、一般に、キャッシュカードの有効化に必要とされるＰＩＮと共に、そのカードの正当なユーザに関する詳細な情報を得る必要がある。ＰＩＮは、正当なユーザがＡＴＭを使用しているときに、複数の方法で得ることができる。犯罪者は、単純に、ユーザの傍に立ち、ユーザがＰＩＮを入力しているのを観察することができる。この行為は、通常、ショルダーサーフィンと呼ばれる。ＰＩＮを得るための、より巧妙な手段は、ＡＴＭの近くに、キーパッドを見ることができるカメラを配置することである。小売業環境で増加しつつある販売時点管理用のＰＩＮ入力装置でも、同様のセキュリティ上の問題が存在している。
【０００３】
本発明にしたがって、キーパッドセキュリティ装置が提供される。キーパッドセキュリティ装置は、ビューイング開口およびアクセス開口を有する囲いを備え、囲いは、ビューイング開口を通してキーパッドを見ることができると共にアクセス開口を通してユーザによりキーパッドにアクセス可能であるように、そのキーパッドを少なくとも部分的に取り囲み、ビューイング開口は、キーパッドのユーザの視点からはキーパッドを明確に見ることができるように且つユーザ以外の者の視点からはキーパッドを見ることができないように構成されたセキュリティ窓を含み、セキュリティ窓は、屈折レンズを含む。
【０００４】
キーパッドの囲いは、キーパッドを遮蔽して、ユーザによるキー操作が観察されないようにする。セキュリティ窓は、ユーザに対しては、使用前および使用中の両方でキーパッドを観察できるようにするが、ユーザの傍に立つ者に対しては、ユーザによるキー操作をセキュリティ窓を通して観察できないようにする。セキュリティ窓は、また、例えばキーパッドの近く、囲いの外側に配置されたカメラがユーザによるキー操作を遠隔的に観察することを防ぐ。
【０００５】
セキュリティ窓は、ビューイング開口を通して視線軸をキーパッドに到達させるように、該ビューイング開口内に配置される。したがって、視線軸の方向からキーパッドを見ようとして自分の位置をこの視線軸に合わせた者は、キーバッドを明確に見ることができる。もし、視線軸以外の軸の方向からセキュリティ窓を通してキーパッドを見ようとすると、セキュリティ窓は、キーパッドを部分的にまたは全体的に歪ませて、または不明瞭にして見せる。視線軸は、セキュリティ窓にほぼ垂直であってよい。視線軸は、セキュリティ窓およびキーパッドにほぼ垂直であってよい。セキュリティ窓は、その方向からキーパッドを明確に、且つ歪みなくまたは不明瞭にされることなく見ることができる複数の視線軸を有してよい。このような複数の軸は、キーパッドを明確に見ることができる視線通路を定めることができる。
【０００６】
一実施形態において、セキュリティ窓は、セキュリティ窓を通してユーザに観察されるときのキーパッドの見え方を使用にあたって変化させるレンズを含むことができる。好ましい一実施形態では、レンズは、拡大レンズである。レンズは、それを通して見えるもの
を拡大しおよび歪ませる両方の機能を有することが好ましい。レンズは、１．３から１．８までの間の屈折率を有することが好ましい。より好ましくは、レンズは、１．４から１．７までの間の屈折率を有する。レンズは、１．４５から１．６５までの間の屈折率を有してよい、または１．４７から１．６１までの間の屈折率を有してよい。一実施形態では、レンズは、アクリルで製造され、１．４７から１．５１までの間の屈折率を有してよい。あるいは、レンズは、塩化ビニルで製造され、１．５２から１．５６までの間の屈折率を有してよい。別の一実施形態では、レンズは、ポリエチレンで製造され、１．４９から１．５３までの間の屈折率を有してよい。更に別の一実施形態では、レンズは、ポリカーボネートで製造され、１．５７から１．６１までの間の屈折率を有してよい。
【０００７】
レンズは、フレネルレンズ等であってよい。フレネルレンズという用語は、所望の画像変更特性を実現するために表面にテクスチャ加工を施されたレンズを対象として含むものとする。テクスチャ加工は、レンズの形状から得られるレンズの画像変更特性を向上させる、または補う、またはその両方が可能である。セキュリティ窓には、キーパッドの１つまたは複数のキーにそれぞれ揃えられた複数のレンズを設けてよい。セキュリティ窓は、視線軸または視線通路の方向からはキーパッドを見えるようにするが視線軸に一致しない軸または視線通路に含まれない軸の方向からはキーパッドを不明瞭にする画像を含んでよい。画像は、セキュリティ窓の上または中に設けてよい。例えば、画像は、セキュリティ窓の表面にエッチングまたは他の方法で施されてよい。あるいは、画像は、セキュリティ窓内に組み込まれてよい。このような一実施形態では、画像は、ホログラフィ像であってよい。
【０００８】
セキュリティ窓は、ポリカーボネート等のプラスチック材料またはガラス等のガラス質材料からなる単一の部材を含んでよい。セキュリティ窓は、層構造であってよい。このような一実施形態では、セキュリティ窓は、レンズを間に挟んだ上側および下側の平面部材を含んでよい。平面部材は、互いと、およびレンズとほぼ同じ形状を有してよい。セキュリティ窓は、囲いを製造する過程でその囲いに組み込まれてよく、例えば、プラスチック材料から囲いを成形する過程でその囲いに組み込まれてよい。あるいは、セキュリティ窓は、囲いから取り外し可能であってよい。セキュリティ窓は、したがって、例えば損傷を受けた、または傷ついた場合に交換することができる。
【０００９】
囲いは、キーパッドを少なくとも部分的に取り囲むように構成された壁を含んでよい。囲いは、あるいは、キーパッドを少なくとも部分的に取り囲むように構成された複数枚の壁を含んでよい。アクセス開口は、壁または複数枚の壁の１枚に設けられた開口によって定められてよい。あるいは、アクセス開口は、２枚の壁の間に設けられた隙間または空間によって定められてよい。該壁または各壁には、キーパッドを見えないようにしつつ囲いに光を入らせるように構成された窓が提供されてよい。該窓は、キーパッドを見えないようにするために、半透明の、つや消しされた、不透明の、または他の処理を施された光沢のある窓を含むことが好ましい。該壁または各壁は、キーパッドを付けた、すなわち取り付けた底面の壁であってよい。このような場合、セキュリティ窓は、該壁または各壁に取り付け可能な部材に含まれてよい。
【００１０】
囲いは、追加のアクセス開口を設けられてよい。使用にあたって、この追加のアクセス開口は、キーパッドの装着先である装置の一特徴に揃えられてよい。例えば、追加のアクセス開口は、ＡＴＭの紙幣供給スロットに揃えられてよい。追加のアクセス開口の存在によって、ユーザは、囲いを通して紙幣供給スロットにアクセスすることが可能になる。したがって、囲いは、紙幣供給スロットから供給される紙幣への不正なアクセスを阻止する遮蔽機能を紙幣供給スロットに付与できることがわかる。好ましくは、追加のアクセス開口は、ユーザが囲いを通して容易にアクセスできるように、キーパッドのアクセス開口と反対側の囲いの部分に設けられる。
【００１１】
ビューイング開口は、壁または複数枚の壁の上に覆いかぶさる囲いの部分に設けられることが好ましい。好ましくは、ビューイング開口は、キーパッドの平面にほぼ平行な平面に揃えられる。
【００１２】
以下では、添付の図面を参照にして本発明の実施形態が説明される。
【００１３】
先ず、図１および図２を参照すると、図１および図２には、概して１０で表される、本発明にしたがったキーパッドセキュリティ装置が示されている。装置１０は、基板１２と、囲い１４と、頂板１６と、ビューイング窓構成１８とを備える。基板１２は、例えば鋼等の材料の薄板で形成され、ＡＴＭの前面に装着される形状に構成される。基板１２は、ＡＴＭのデータ入力キーパッド（不図示）より大きいサイズおよび形状に構成された開口２０を設けられる。なお、開口２０は、基板１２がＡＴＭに装着されたときに、キーパッドが開口２０を通して完全にアクセス可能であるように、基板１２の中に配置されることが理解される。
【００１４】
囲い１４は、鋼またはアルミニウム合金等の材料の１枚の薄板で形成され、橋渡し部分２４によって接合された１対の相隔たれた側壁２２を含む。橋渡し部分にビューイング開口２６が設けられる一方で、各側壁２２の基部には横方向に広がるつば２８が設けられる。基板１２の開口２０は、基板１２と同一平面上につば２８を収容できるような大きさに構成される。なお、囲い１４は、従来の打ち抜き加工およびプレス加工によって都合よく形成されてよい。側壁２２および橋渡し部分２４の向きは、装置１０がＡＴＭに装着されたときにユーザが手を入れることができるアクセス開口３０を定める。囲いは、また、アクセス開口の反対側で側壁２２と橋渡し部分２４との間に広がると共に本明細書において以下後壁と称される別の壁が随意に設けられてよい。
【００１５】
頂板１６は、鋼等の材料の薄板で形成される点、および使用にあたって囲い１４を突き出させるような開口３２を設けられる点で、基板１２と同様の構成を有する。頂板の開口３２は、頂板１６が囲いのつば２８に覆いかぶさるような大きさおよび形状に構成される。ビューイング窓構成１８は、裏当て板３４とセキュリティ窓３６とを含む。裏当て板３４およびセキュリティ窓３６は、それらが外れないような方式で囲いのビューイング開口に装着可能である。裏当て板３４は、自身を通してＡＴＭキーパッドを見せられるように十分に透明である。裏当て板２４は、例えばポリカーボネート等のプラスチック材料で形成されてよい。あるいは、裏当て板は、強化ガラスで製造されてよい。セキュリティ窓３６は、特定のユーザ視野位置からはＡＴＭキーパッドを見ることができるように且つそれ以外のユーザ視野位置からはＡＴＭキーパッドを見ることができないように構成される。セキュリティ窓３６の動作は、後ほど詳述される。
【００１６】
組み立てられた状態の装置１０が、図２に示される。使用にあたって、装置１０を装着されたＡＴＭを使用しようとするユーザは、ＡＴＭに近づき、従来の方式でカードを挿入する。ＰＩＮの入力を促されると、ユーザは、自分の手をアクセス開口３０から挿入し、ビューイング開口２６を通してＡＴＭキーパッドを見えるように自身の体勢を整える。使用者以外の者は、囲いの側壁２２、随意の後壁、およびセキュリティ窓３６の存在ゆえに、キーパッドを見ることができない。
【００１７】
図３および図４を参照すると、図３および図４には、概して４０で表される、本発明にしたがったキーパッドセキュリティ装置の別の一実施形態が示される。装置４０は、１対の基板４２，４４と、囲い４６と、カバー部材４８と、セキュリティ窓５２を含むサポート５０とを備える。基板４２，４４は、ＡＴＭのキーパッド領域に装着可能であり、それぞれ、キーパッドへのアクセスを可能にする開口４３，４５を設けられる。基板４２，４
４は、例えば鋼等の材料の薄板で形成される。囲い４６は、例えば鋼等の材料の薄板で形成され、１対の側壁５４と、後壁５６とを含む。各壁５４，５６には、開口５８が設けられる。カバー部材４８は、囲い４６の形状に沿う形に形成された、例えばポリカーボネート等のプラスチック材料の薄板を含む。カバー部材４８は、囲いの壁５４，５６の開口５８を覆うような形で囲い４６に装着可能である。カバー材料４８は、不透明であると同時に、光を通過させて囲い４６の内部およびキーパッドを照らすのに十分な透明性を有するが、自身を通してキーパッドを見ることができないように構成される。カバー部材４８は、例えば、つや消しされる、または微細なひび入りの光散乱表面処理を施されてよい。
【００１８】
サポート５０は、枠部分６０と、１対の脚６２とを含む。枠部分６０は、壁５４，５６に境界を定められた囲い４６の上側領域に収まるような大きさおよび形状に構成される。脚６２は、側壁５４に収まり、ユーザがＡＴＭキーパッドにアクセスできるアクセス開口６４を定めるように構成される。セキュリティ窓５２は、枠部分６０に組み込まれ、サポート５０およびカバー部材４８は、外れにくい方式で囲いに収納可能である。セキュリティ窓５２は、特定のユーザ視野位置からはＡＴＭキーパッドを見ることができるように且つそれ以外のユーザ視野位置からはＡＴＭキーパッドを見ることができないように構成される。
【００１９】
組み立てられた状態の装置４０が、図４に示される。使用にあたって、装置４０を装着されたＡＴＭを使用しようとするユーザは、ＡＴＭに近づき、従来の方式でカードを挿入する。ＰＩＮの入力を促されると、ユーザは、自分の手をアクセス開口６４に挿入し、セキュリティ窓５２を通してＡＴＭキーパッドを見ることができるように自身の体勢を整える。使用者以外の者は、囲いの側壁５４，５６およびセキュリティ窓５２の存在ゆえに、キーパッドを見ることができない。
【００２０】
前述のように、セキュリティ窓３６，５２は、特定の視野位置からはキーパッドを明確に見ることができるように且つ他の位置からはキーパッドを見ることができないように構成される。一実施形態では、セキュリティ窓３６，５２は、特定の角度からペイン３６，５２を覗いたときにはキーパッドを拡大して見せる一方で他の角度から覗いたときにはキーパッドを歪んで見せるレンズを含んでよい。図５は、キーパッド７２と、本発明にしたがった装置１０，４０とを有するＡＴＭ７０の概略図である。装置１０，４０は、例えばフレネルレンズ等の拡大レンズ７４を設けられる。装置１０，４０の上方には、レンズ７４にほぼ対応する断面積を有する視線通路７６が定められる。視線通路内にあって且つレンズ７４およびキーパッド７２にほぼ垂直に走る軸７８の方向からレンズ７４を通してキーパッド７２を見ると、図６に示されるように、キーパッド全体の拡大像を見ることができる。もし、レンズおよびキーパッドに垂直でなく且つ視線通路から逸れて走る軸８０の方向からキーパッド７２を見ようとすると、キーパッド７２の歪んだ像が呈示される。観察されうる見え方の幾つかの例が、図７および図８に示される。図７では、キーパッド７２のうち、０キーを含む下側の部分が不明瞭になっているのに対し、図８では、キーパッド７２のうち、１キー、２キー，および３キーを含む上側の部分が不明瞭になっている。
【００２１】
セキュリティ窓は、レンズ以外の他の形態をとってよい。例えば、セキュリティ窓は、キーパッドのユーザからはキーパッドを見えるようにする一方でその正当なユーザ以外の視線の角度からはキーパッドを見えなくするような画像を、ペインの中または上に保持していてよい。例えば、セキュリティ窓は、装置の正当なユーザのための隠されたホログラフィ像を含んでよい。別の一実施形態では、セキュリティ窓は、キーパッドのキーに揃えられた複数の窓を含んでよい。各窓は、レンズ、保持された画像、またはこれら２つの組み合わせを含んでよい。
【００２２】
図９を参照すると、図９には、概して８２で表される、セキュリティ装置の代替の一実
施形態が示されている。前述の実施形態と共通する特徴は、同様の参照符号で表される。装置８２は、橋渡し部分２４によって接合された１対の相隔たれた側壁２２を有する囲いを備える。橋渡し部分２４内には、セキュリティ窓（不図示）を中に保持するためのビューイング開口２６が設けられる。壁２２および橋渡し部分２４は、装置８２がキーパッドの上に装着されたときにユーザが自分の手を入れることができるアクセス開口３０を定める。囲いは、成形工程によって、強化プラスチック材料で一体成形される。あるいは、囲いは、例えばアルミニウム合金等の金属で形成されてよい。セキュリティ窓は、その成形中に囲いに組み込まれてよい。あるいは、セキュリティ窓は、その成形後に囲いに取り付けられてよい。
【００２３】
装置８２は、更に、橋渡し部分２４の端に沿って、アクセス開口３０と反対の側に複数の相隔たれた穴８４を設けられる。穴８４は、囲いに取り囲まれた空間に光を取り入れる一方で、キーパッドがこれらの穴を通して直接見えることのないようにする。壁２２および橋渡し部分２４は、囲いと反対の側に、別の追加のアクセス開口８５を定めることが理解される。特定の構成を持つＡＴＭでは、紙幣を供給するスロットがキーパッドの前面に且つやや上方に配置される。このような構成では、ユーザは、キーパッドへのＰＩＮの入力に使用されるのと同じ手で、供給された紙幣を取ることができる。追加のアクセス開口８５の提供は、紙幣を供給するスロットを装置８２全体で遮った状態でユーザが紙幣にアクセスすることを可能にし、したがって、ＡＴＭのユーザ以外の者に紙幣がひったくられる事態を阻止することができる。
【００２４】
図１０は、概して８６で表される、チップ・アンド・ピンキーパッド８８用に構成された本発明にしたがったセキュリティ装置を示している。前述の実施形態と共通する特徴は、同様の参照符号で表される。装置は、基部９２と、１対の相隔たれた側壁２２と、その間に広がる橋渡し部分２４とを有する囲い９０を備える。橋渡し部分２４は、セキュリティ窓（不図示）を中に保持するためのビューイング開口２６を含む。図示された実施形態では、基部９２と、側壁２２と、橋渡し部分２４とは、プラスチック材料で一体成形される。セキュリティ窓は、囲い９０にその成形中に組み込み可能であると好都合である。
【００２５】
囲い９０の片側にはアクセス開口３０が設けられ、その反対側には追加のアクセス開口９４が設けられる。アクセス開口３０は、ユーザがキーパッド８８にアクセスすることを可能にし、追加のアクセス開口９４は、ユーザまたは窓口係が必要に応じてキーパッド８８にチップカードを挿入することを可能にする。橋渡し部分２４は、キーパッド全体を見せることなく周辺光を囲い９２に入れることを可能にする複数の穴９６を設けられる。
【００２６】
図１１は、図１０の装置に類似したセキュリティ装置９８を示し、これらに共通する特徴は、同様の参照符号で表される。装置９８は、より大きいビューイング開口２６を設けられる点、および採光穴を含まないという点で異なる。装置９８は、可撓性の柄１００に取り付けられ、この柄１００は、更に、装置９８を販売場所に取り付け可能にする脚１０２に接続される。
【００２７】
次に、図１２および図１３を参照すると、図１２および図１３には、概して１０４で表される、本発明にしたがったセキュリティ装置の別の一実施形態が示される。前述された実施形態と共通する特徴は、同様の参照符号で表される。装置１０４は、図９を参照にして説明された装置に類似している。装置１０４は、橋渡し部分２４によって接合された１対の相隔たれた側壁２２を有する囲いを備える。橋渡し部分２４の中には、セキュリティ窓（不図示）を中に保持するためのビューイング開口２６が設けられる。側壁２２および橋渡し部分２４は、囲いがキーパッドの上に装着されたときにユーザが自分の手を入れることができるアクセス開口３０を定める。囲い８２は、成形工程によって、強化プラスチック材料で一体成形される。あるいは、囲い８２は、鋳造工程によって、アルミニウム合
金等の金属で製造されてよい。セキュリティ窓は、囲いにその成形中に組み込まれてよい。あるいは、セキュリティ窓は、囲いにその製造後に取り付けられてよい。
【００２８】
囲いは、更に、ビューイング開口２６の周りに、複数の相隔たれた穴８４を設けられる。穴８４は、囲い８２に取り囲まれた空間に光を取り入れる一方で、キーパッドがこれらの穴を通して直接見えることのないようにする。壁２２および橋渡し部分２４は、囲いと反対の側に、別の追加のアクセス開口８５を定めることが理解される。特定の構成を持つＡＴＭでは、紙幣を供給するスロットがキーパッドの前面に且つやや上方に配置される。このような構成では、ユーザは、キーパッドへのＰＩＮの入力に使用されるのと同じ手で、供給された紙幣を取ることができる。追加のアクセス開口８５の提供は、紙幣を供給するスロットを装置８２全体で遮った状態でユーザが紙幣にアクセスすることを可能にし、したがって、ＡＴＭのユーザ以外の者に紙幣がひったくられる事態を阻止することができる。
【００２９】
囲いは、ある程度の光を透過させると同時にビューイング開口２６を取り囲む壁２２および橋渡し部分２４を通してキーパッドが見えることのないようにする半透明のプラスチック材料で成形されることが好ましい。プラスチック材料の半透明性は、もし、小型カメラ等の何かが囲いの内側表面に取り付けられている場合等に、ＡＴＭのユーザまたはオペレータがそれを容易に発見できるようにする。囲いの内側表面には、更に、小型カメラ等の装置を取り付け困難にするために、テクスチャ加工を施されてよい。例えば、囲いの内側表面を波状にしてよい、すなわち囲いの内側表面に畝を付けてよい。
【００３０】
装置１０４は、適切な固定手段によってＡＴＭに取り付けられてよい。図示された実施形態では、各側壁２２の底縁１０６は、対応するＡＴＭの開口部に通すための突起１０８を設けられる。突起１０８には、ナットを受けられるようにネジ山をつけてよい。あるいは、各側壁２２の下縁に、適切な固定手段を通すためのつばを設けてよい。
【００３１】
装置１０４は、ビューイング開口２６およびセキュリティ窓３６を、キーパッドと完全に一致することのないようにＡＴＭに取り付けられてよい。図１３は、ビューイング開口２６と、セキュリティ窓３６と、キーパッド１１０との間のこのような配置の一例を示している。ビューイング開口２６およびセキュリティ窓３６の上縁１１２は、キーパッド１１０のキーの上一列１１６の下縁１１４に揃えられる。この不一致の配置は、ＡＴＭキーパッド１１０のユーザが、セキュリティ窓３６を通してキーパッド１１０の全体を見ることができる一方で、ユーザの視点に対応する位置以外の位置からキーパッドを見ようとする者が、ユーザの肩越しであれ、またはＡＴＭの上方もしくは近くに取り付けられたカメラを介して遠隔的にであれ、セキュリティ窓３６を通してキーパッド１１０の全体を見ることができないように保証する。
【００３２】
次に、図１４を参照すると、図１４には、概して１１８で表され、現在小売店で使用されているタイプの電子決済ＰＯＳチップ・アンド・ピンキーパッドＰＥＤ８８用に構成された装置が示される。装置１１８は、図１０および図１１を参照に説明された装置に類似し、これらに共通する特徴は、同様の参照符号で示される。
【００３３】
装置１１８は、基部９２と、１対の相隔たれた側壁２２とを有する囲い１２０を備える。基部９２および側壁２２は、１片の材料で形成される。例えば、基部９２および側壁２２は、成形工程によって、プラスチック材料で形成されてよい。あるいは、囲いは、アルミニウム合金等の金属で製造されてよい。側壁２２の上縁１２２間に広がるのは、ビューイング開口２６を定める枠１２４であり、その中には、セキュリティ窓（不図示）が取り付けられてよい。枠１２４は、ヒンジ１２６によって、枢動可能な方式で一方の側壁２２に結合され、他方の壁２２と枠１２４との間には、図示された位置に枠１２４を保持する
ための留め具構成（不図示）が設けられてよい。
【００３４】
囲い１２０の前面にはアクセス開口３０が設けられ、背面には追加のアクセス開口９４が設けられる。ここで言う「前面」とは、ユーザに最も近い側のキーパッド８８の縁を基準にして解釈される。アクセス開口３０は、ユーザがキーパッド８８にアクセスすることを可能にし、追加のアクセス開口９４は、ユーザまたは窓口係が必要に応じてキーパッド８８のカード受けスロットにチップカードを挿入することを可能にする。枠１２４およびセキュリティ窓は、矢印１２８で示される方向に枢動可能である。なお、枠１２４およびセキュリティ窓は、上向きに且つキーパッド８８から離れる方向に枢動可能である点が理解される。セキュリティ窓は、したがって、キーパッド８８を見るユーザの視線から外れる方向に移動されてよい。これは、ユーザがセキュリティ窓を通してキーパッドを見ることが困難である場合に必要となる。セキュリティ窓は、また、キーパッド８８の上面にあるスロットにＰＩＮカードを挿入可能にするように移動されてよい。カードを挿入された後、セキュリティ窓は、ユーザがＰＩＮを打ち込むための位置に戻すことができる。
【００３５】
囲い１２０の基部９２は、支柱、すなわち基台１３６に取り付けられる。基部９２は、矢印１３８で示されるように基台１３６に対して回転可能であると共に矢印１４０で示されるように基台１３６に対して枢動可能であるように取り付けられる。基部９２は、囲い１２０およびキーパッド８８をまるごと取り外してユーザに手渡すことができるように、取り外し可能な方式で取り付けられる。
【００３６】
なお、枠１２４は、他の手段によって、移動可能な方式で囲い１２０の壁に結合されてもよい点が理解される。例えば、枠１２４は、摺動可能な方式で囲い１２０の一方または両方の壁２２に取り付けられてよい。代替の一実施形態では、枠１２４は、完全に取り外し可能であってよい。
【００３７】
図１５は、概して１３０で表され、現在小売店で使用されているタイプの電子決済ＰＯＳチップ・アンド・ピンキーパッド８８用に構成された別の一実施形態が示される。装置１３０は、図１０、図１１、および図１４を参照に説明された装置に類似し、これらと共通する特徴は、同様の参照符号で示される。
【００３８】
装置１３０は、基部１３４および湾曲した側壁２２を有する、側面の開いた囲い１３２を備える。囲い１３２は、基台１３６に取り付けられる。基部１３４および側壁２２は、１片の材料で形成される。例えば、基部１３４および側壁２２は、成形工程によって、プラスチック材料で形成されてよい。側壁２２の上縁１２２から広がるのは、ビューイング開口２６を定める枠１２４であり、その中には、セキュリティ窓（不図示）が取り付けられてよい。枠１２４は、ヒンジ１２６によって、枢動可能な方式で側壁２２の上縁１２２に結合される。
【００３９】
囲い１２０の前面にはアクセス開口３０が設けられ、背面には追加のアクセス開口９４が設けられる。アクセス開口３０は、ユーザがキーパッド８８にアクセスすることを可能にし、追加のアクセス開口９４は、ユーザまたは窓口係が必要に応じてキーパッド８８のカード受けスロットにチップカードを挿入することを可能にする。枠１２４およびセキュリティ窓は、矢印１２８で示される方向に枢動可能である。なお、枠１２４およびセキュリティ窓は、上向きに且つキーパッド８８から離れる方向に枢動可能である点が理解される。セキュリティ窓は、したがって、キーパッド８８に対するユーザの視線から外れる方向に移動されてよい。これは、ユーザがセキュリティ窓を通してキーパッドを見ることが困難である場合に必要となる。
【００４０】
なお、枠１２４は、他の手段によって、移動可能な方式で囲い１３２の壁に結合されて
もよい点が理解される。例えば、枠１２４は、摺動可能な方式で囲い１３２の壁２２に取り付けられてよい。代替の一実施形態では、枠１２４は、完全に取り外し可能であってよい。
【００４１】
装置１３０には、基部１３４に装着されることによって図１４に示されたものと同じような囲い１３２を構成する追加の壁部材（不図示）が設けられてよい。キーパッド８８を囲い１３２から取り外してユーザに手渡すことができるように、その追加の壁部材は取り外されてよく、且つ枠１２４は図１５に示された位置まで枢動されてよい。
【００４２】
以上に説明された本発明の実施形態の囲いは、暗い場所でキーパッドを照らすように動作可能である照明手段を含むように構成されてよい。照明手段は、また、セキュリティ窓を通して囲いから光を出射させるように構成されてよい。このように方向付けられた光は、キーパッド上で為されるキー操作がカメラ等によって捕らえられるのを阻止することができる。
【００４３】
上述された本発明の実施形態は、ＡＴＭ、およびＥＰＯＳのＰＩＮ入力装置すなわちＰＥＤに装着されるキーパッドに言及したものである。本発明は、幾つか例を挙げると、セキュリティドアの入力キーパッドおよび警報システムのコマンドキーパッド等の他のキーパッドと併用されてよいことがわかる。本発明にしたがった装置は、その初期製造時にキーパッドに装着されてよい、またはより大きな装置へのキーパッドの初期組み入れ時にキーパッドに装着されてよい。あるいは、本発明にしたがった装置は、より大きな装置に既に組み入れられたキーパッドに後から取り付けられてよい。
【図面の簡単な説明】
【００４４】
【図１】本発明の第１の実施形態にしたがったセキュリティ装置の分解斜視図である。
【図２】図１の装置を組み立てた状態の斜視図である。
【図３】本発明の別の一実施形態にしたがったセキュリティ装置の分解斜視図である。
【図４】図３の装置を組み立てた状態の斜視図である。
【図５】ＡＴＭに装着された、本発明にしたがった装置の概略側面図である。
【図６】本発明にしたがった装置を通したＡＴＭキーパッドの見え方である。
【図７】本発明にしたがった装置を通したＡＴＭキーパッドの見え方である。
【図８】本発明にしたがった装置を通したＡＴＭキーパッドの見え方である。
【図９】本発明にしたがったセキュリティ装置の囲いの斜視図である。
【図１０】本発明にしたがったセキュリティ装置のＥＰＯＳタイプの斜視図である。
【図１１】本発明にしたがったセキュリティ装置のＥＰＯＳタイプの斜視図である。
【図１２】本発明にしたがったＡＴＭキーパッドセキュリティ装置の斜視図である。
【図１３】図１２の装置のセキュリティ窓がキーパッドに対してとる配置の側面図である。
【図１４】別のＥＰＯＳ／ＰＥＤタイプのセキュリティデバイスの斜視図である。
【図１５】別のＥＰＯＳ／ＰＥＤタイプのセキュリティデバイスの斜視図である。
【図１】
2008517394.tif 000003
【図２】
2008517394.tif 000004
【図３】
2008517394.tif 000005
【図４】
2008517394.tif 000006
【図５】
2008517394.tif 000007
【図６】
2008517394.tif 000008
【図７】
2008517394.tif 000009
【図８】
2008517394.tif 000010
【図９】
2008517394.tif 000011
【図１０】
2008517394.tif 000012
【図１１】
2008517394.tif 000013
【図１２】
2008517394.tif 000014
【図１３】
2008517394.tif 000015
【図１４】
2008517394.tif 000016
【図１５】
2008517394.tif 000017
【国際調査報告】
2008517394.tif 000018
2008517394.tif 000019